(57)【要約】【課題】経年管でも吸込管の挿入が可能で、目視不要で吸込管の装着高さを設定できる管内濁質排出装置並びにその設置方法を提供する。【解決手段】  吸込ノズル（１３）を設けた可撓性の吸込管（８）に位置決めガイド（１２）を配設し、吸込ノズル（１３）の吸込口（１４）を傾斜開口させると共に、ガイドフレーム（１８）の基端部を吸込口（１４）の上端縁（１４ａ）と下端縁（１４ｂ）に連結し、山形状のリブ（１６）を吸込口（１４）の左右の側端縁（１４ｃ）に橋架して、リブ（１６）の先端部をガイドフレーム（１８）に連結して、ガイドフレーム（１８）の先端部にガイドローラーＡ（１９）と後段基端部にガイドローラーＢ（２０）を軸支させたもので、地形や道路の舗装状況に関係なく配水管（１）の敷設深さに応じて設置でき、吸込管（８）の先端部の吸込ノズル（１３）を配水管（１）の上流側（Ｈ）に曲折して目視不要で装着できる。【選択図】      図１２
2009030257.tif 000002
【特許請求の範囲】
【請求項１】
先端部に吸込ノズル（１３）を設けた可撓性の吸込管（８）を、配水管（１）に立設した分岐管（２）に垂下して、配水管（１）の流水中に含まれる懸濁物質を吸込ノズル（１３）から抜き出す管内濁質排出装置において、吸込管（８）に上端部を止着した位置決めガイド（１２）を吸込管（８）の所定位置まで垂下させ、吸込ノズル（１３）の吸込口（１４）を上流側（Ｈ）の管頂（１ｂ）方向に向かって上端縁（１４ａ）から下端縁（１４ｂ）に傾斜拡開させると共に、Ｌ字状のガイドフレーム（１５、１８）の基端部を吸込口（１４）の上端縁（１４ａ）と下端縁（１４ｂ）に連結したことを特徴とする管内濁質排出装置。
【請求項２】
上記ガイドフレーム（１５）の先端下周面（１５ｂ）に曲面状の案内面を形成したことを特徴とする請求項１に記載の管内濁質排出装置。
【請求項３】
上記ガイドフレーム（１８）の先端部にガイドローラーＡ（１９）と後段基端部にガイドローラーＢ（２０）を軸支させたことを特徴とする請求項１に記載の管内濁質排出装置。
【請求項４】
上記吸込ノズル（１３）の吸込口（１４）の左右の側端縁（１４ｃ、１４ｃ）に山形状のリブ（１６）を橋架して、リブ（１６）の先端部をガイドフレーム（１５、１８）に連結し、吸込ノズル（１３）の下側面（１３ａ）に一対のガイド杆（１７、１７）を止着したことを特徴とする請求項１乃至３の何れか１項に記載の管内濁質排出装置。
【請求項５】
上記吸込管（８）の中間部の上側面に中間ノズル（２１）を開口したことを特徴とする請求項１乃至４の何れか１項に記載の管内濁質排出装置。
【請求項６】
先端部に吸込ノズル（１３）を設けた可撓性の吸込管（８）に所定位置まで垂下させる位置決めガイド（１２）を止着し、吸込ノズル（１３）の吸込口（１４）を上流側（Ｈ）の管頂（１ｂ）方向に向かって上端縁（１４ａ）から下端縁（１４ｂ）に傾斜拡開させると共に、Ｌ字状のガイドフレーム（１８）の基端部を吸込口（１４）の上端縁（１４ａ）と下端縁（１４ｂ）に連結し、山形状のリブ（１６）を吸込口（１４）の左右の側端縁（１４ｃ、１４ｃ）に橋架して、リブ（１６）の先端部をガイドフレーム（１８）に連結し、ガイドフレーム（１８）の先端部にガイドローラーＡ（１９）と後段基端部にガイドローラーＢ（２０）を軸支させた管内濁質排出装置において、吸込管（８）を分岐管（２）に挿入し、吸込ノズル（１３）の吸込口（１４）のガイドフレーム（１８）を配水管（１）まで垂下して先端部のガイドローラーＡ（１９）を管底（１ａ）に転接し、ガイドローラーＡ（１９）を上流側（Ｈ）に転動させながら吸込管（８）を曲折し、更に、吸込管（８）を挿入させてガイドローラーＢ（２０）を管底（１ａ）に転接して、吸込ノズル（１３）の吸込口（１４）を上流側（Ｈ）の管頂（１ｂ）方向に開口させ、吸込管（８）に配設した位置決めガイド（１２）を配水管（１）の管底（１ａ）に到達させて、吸込ノズル（１３）の装着を完了することを特徴とする管内濁質排出装置の設置方法。
【発明の詳細な説明】
【技術分野】
【０００１】
この発明は、上水、工業用水などの配水管の流水に含まれる懸濁物質を除去するために、配水管に設置する管内濁質排出装置並びにその設置方法に関する。
【背景技術】
【０００２】
上水、工業用水等の配水管に存在する現状の濁質は沈降性物質と浮遊性物質に分けられる。沈降性物質は比重２〜３の砂、鉄錆等であり、浮遊性物質は管内面に塗布された塗装の剥離塗料、細かな鉄錆等である。配水管や分岐管は経年管が多く存在し、錆こぶの付着等が発生していることが確認されている。配水管の補修工事、取替え工事を行った場合、或いは、配管の老朽化等から、砂粒錆、金属錆、塗装片等の懸濁物質が配水管内に混入する。これらの懸濁物質のうち、比重の大きい懸濁物質や、形状の大きい懸濁物質は配水管の管底を移動し、或いは堆積する。配管工事に伴い混入する砂は、２〜４ｍｍの粒径が主成分であり、この砂は、０．３ｍ／ｓにて管底を移動し始める。０．８〜１．０ｍ／ｓにて管内全体に浮遊して流下するが、一般的な管内運用流速の０．５ｍ／ｓでは管底を移動する。
【０００３】
これらの懸濁物質を除去する管路内異物の回収装置としては、配水管に設置した消火栓にホース等を接続し、配水管の分岐部内側付近に局所的な乱流を発生させ、懸濁物質が移動し得る流速で管内の流水を放水し、乱流に乗って懸濁物質を消火栓に移動させる洗管作業が主流となっている。例えば、筒体に軸対象の吸込口を設けた排出器を昇降自在な昇降シャフトに連結し、排出器を消火栓用管路の管底近傍に設置して、排水とともに異物を吸上げる排出装置は、特許文献１に記載してあるように公知である。また、消火栓を利用して分岐管の直立管路に管内濁質排出装置を降下させ、配水管の管底付近に到達させて水圧により異物を排出させる異物排出装置も、例えば、特許文献２に記載してあるように公知である。
そして、水道管に配設した分岐管に案内筒を挿入し、案内筒に内挿したホースを流水圧により下流方向に移動させ、流水管の底壁に堆積する夾雑物を水圧により懸濁物質を排出する夾雑物排出装置も、例えば、特許文献３に記載してあるように、良く知られている。
【特許文献１】特許第２５８８３１９号公報（段落番号０００９乃至段落番号００１１、図１）
【特許文献２】特開２０００−３１４１５６号公報（要約の解決手段の欄、図１及び図４）
【特許文献３】特許第３０７７７３４号公報（段落番号００３７乃至段落番号００４１、図７）
【発明の開示】
【発明が解決しようとする課題】
【０００４】
一般的な管内運用流速の０．５ｍ／ｓでは水圧が不足するため２〜４ｍｍの粒径の砂等は浮遊せずに管底を移動して、立設した分岐管に懸濁物質の流入が困難で管底に堆積し、管路が閉塞する恐れもある。また、分岐管に垂下したホースを流水管の下流側に開口する夾雑物排出装置は、簡単な装置で夾雑物を除去できるものであるが、流下する比重の小さい異物や粒径の大きい異物は、水圧だけではホースから排出が困難である。この場合、消火栓に抜出す水の流速が速くなければ配管中の懸濁物質の排出が難しく、多量の水を必要とする。水の有効利用から問題であり、洗浄ポイントが多くなると作業時間も長く、多量の水を排水して無駄が多い。また、分岐管の管径に近似する従来の筒体状の管内濁質排出装置は、経年管の分岐管では錆こぶ等に抑制されて、円滑に管内濁質排出装置の挿入を行うことが難しくなる。システム上、管内濁質排出装置の吸込ノズルの先端を配水管の上流側に対向させ、目視不要で装着できる構造とする必要がある。配水管が敷設されている配管深さは、地形状況や道路の舗装状況の変化により厳密に管理されておらず管内濁質排出装置の装着高さについて、場所ごとにより異なる状況になることが予想され、挿入時の目視確認ができないことから容易に管内濁質排出装置の位置を決める構造が必要と考えられる。この発明は、経年管の配水管や分岐管であっても円滑な吸込管の挿入が可能で、目視不要で異物排出用の吸込ノズルを配水管の上流側に対設し、先端に吸込ノズルを設けた吸込管の装着高さを設定できる管内濁質排出装置並びにその設置方法を提供する。
【課題を解決するための手段】
【０００５】
この発明に係る管内濁質排出装置の要旨は、先端部に吸込ノズルを設けた可撓性の吸込管を、配水管に立設した分岐管に垂下して、配水管の流水中に含まれる懸濁物質を吸込ノズルから抜き出す管内濁質排出装置において、吸込管に上端部を止着した位置決めガイドを吸込管の所定位置まで垂下させ、吸込ノズルの吸込口を上流側の管頂方向に向かって上端縁から下端縁に傾斜拡開させると共に、Ｌ字状のガイドフレームの基端部を吸込口の上端縁と下端縁に連結したもので、吸込管の上端部に連結した位置決めガイドで、地形や道路の舗装状況に係わりなく配水管の敷設深さに応じて設置でき、吸込ノズルの前面に配設したＬ字状のガイドフレームで吸込管の先端部の吸込ノズルを配水管の上流側に曲折して目視不要で装着できる構造となる。
【０００６】
吸込ノズルの吸込口の前面に配設するガイドフレームの先端下周面に曲面状の案内面を形成すれば、配水管の管底に到達したガイドフレームの曲面状の先端下周面を摺動させながら可撓性の吸込管を挿入させることができる。また、ガイドフレームの先端下周面を曲面状に形成せずに、ガイドフレームの先端部にガイドローラーＡと後段基端部にガイドローラーを軸支させれば、抵抗なく管内を移動できる。吸込管の挿入により管底部に到達したガイドフレームは、その先端部のガイドローラーが転動して吸込管を曲折し、吸込ノズルを配水管の上流側に案内し、挿入操作はそのままで、ガイドローラーにより管底に沿って移動させ、吸込ノズルの吸込口を管頂方向に拡開できる。
【０００７】
吸込ノズルの吸込口の左右の側端縁に山形状のリブを橋架して、リブの先端部をガイドフレームに連結し、吸込ノズルの下側面に一対のガイド杆を止着したもので、配水管と分岐管が経年管であっても、吸込口の前面に突出させたガイドフレームとリブが吸込ノズルを案内し、管内壁の錆こぶ等に抑制されることがない。吸込ノズルの下側面のガイド杆が配水管の底壁に摺動して吸込管を配水管の上流側に円滑に曲折し、先端部の吸込ノズルを所定位置に設置できる。そして、吸込管の中間部の前側面に中間開口を設ければ、管路全体に浮遊流動しながら流下する懸濁物質も、中間ノズルから吸込むことができる。吸引箇所が先端ノズルと中間ノズルに分かれても、先端ノズルでの流速低下がなく、吸引効果を損なうことがない。配水管の管断面積に対しノズル断面積が大きくなり、懸濁物質の流向変化に対応できる。
【０００８】
管内濁質排出装置の設置方法は、先端部に吸込ノズルを設けた可撓性の吸込管に所定位置まで垂下させる位置決めガイドを止着し、吸込ノズルの吸込口を上流側の管頂方向に向かって上端縁から下端縁に傾斜拡開させると共に、Ｌ字状のガイドフレームの基端部を吸込口の上端縁と下端縁に連結し、山形状のリブを吸込口の左右の側端縁に橋架して、リブの先端部をガイドフレームに連結し、ガイドフレームの先端部にガイドローラーと後段基端部にガイドローラーを軸支させた管内濁質排出装置において、吸込管を分岐管に挿入し、吸込ノズルの吸込口のガイドフレームを配水管まで垂下して先端部のガイドローラーを管底に転接し、ガイドローラーを上流側に転動させながら吸込管を曲折し、更に、吸込管を挿入させてガイドローラーを管底に転接して、吸込ノズルの吸込口を上流側の管頂方向に開口させ、吸込管に配設した位置決めガイドを配水管の管底に到達させて、吸込ノズルの装着を完了する管内濁質排出装置の設置方法で、配水管の敷設深さに応じて目視不要で装着でき、管内壁の錆こぶ等に抑制されることもない。
【発明の効果】
【０００９】
この発明に係る管内濁質排出装置とその排出方法は上記のように構成してあり、吸込管の上端部に連結した位置決めガイドで、地形や道路の舗装状況に関係なく配水管の敷設深さに応じて設置でき、吸込管の先端部の吸込ノズルを配水管の上流側に曲折して目視不要で装着できる構造となり、経年管の配水管や分岐管の管内壁の錆こぶ等に抑制されることがない。そして、吸込管は工事対象配水管近傍に一時的に取り付けが可能となり、消火栓を利用することも可能で、現地施工とメンテナンスが簡単で設置スペースの小さい管内濁質排出装置となる。
【発明を実施するための最良の形態】
【００１０】
この発明に係る管内濁質排出装置を図面に基づき詳述すると、図１は吸込管の先端部に配設した吸込ノズルを分岐管に垂下する管内濁質排出装置であって、上水、工業用水等の配水管１から立設した消火栓等の分岐管２にボール弁３が配設してあり、ボール弁３にノズル収納ケース４を着脱自在に連結してある。ノズル収納ケース４の上端部に流水の抜出用の接続口５と、側壁に消火用或いは懸濁物質を分離した分離水返送用の吐出口６が開口してあり、吐出口６に開閉弁７を設けてある。ノズル収納ケース４に樹脂製等の可撓管で構成した吸込管８が垂設してある。図２は先端部に吸込ノズルを設けた吸引管の外形図であって、可撓性の吸込管８の先端部に吸込ノズル１３を配設し、上端部に吸引管１０が継手１１を介して連結してある。吸込管８の上端部に嵌合した継手１１の下流側に位置決めガイド１２が止着してあり、位置決めガイド１２の下端を吸込管８の下部近傍まで垂下させてあり、管内濁質排出装置の装着高さを決められるようにしてある。吸込ノズル１３の吸込口１４にガイドフレーム１５が止着してあり、経年管の配水管や分岐管でも錆こぶ等に抑制されないようにしてある。
【００１１】
図３及び図４はガイドフレームを止着した吸込ノズルの側面図と平面図であって、吸込管８の先端部に配設した吸込ノズル１３の吸込口１４を上端縁１４ａから下端縁１４ｂに向かって傾斜状に拡大開口してある。吸込ノズル１３の吸込口１４の上端縁１４ａと下端縁１４ｂにガイドフレーム１５が連結してあり、上段部１５ａを吸込ノズル１３の軸線に沿って突設し、ガイドフレーム１５は吸引ノズル１３に開口した傾斜状の吸込口１４の前面に、Ｌ字状のフレームを形成してある。ガイドフレーム１５の先端下周面１５ｂが曲面状に形成してあり、吸込管８を分岐管２に降下させた時に、配水管１の管底１ａにガイドフレーム１５の先端を当接し、到達したガイドフレーム１５の先端下周面１５ｂを摺接させて吸込管８を配水管１の上流側に曲折させる。吸込ノズル１３の吸込口１４の左右の側端縁１４ｃ、１４ｃに山形状のリブ１６を橋架して、リブ１６の先端部を吸込ノズル１３の軸線に沿って突設し、ガイドフレーム１５の先端１５ｄの下方に連結してある。分岐管２と配水管１が経年管であっても、突出させたガイドフレーム１５とリブ１６が、管内壁の錆こぶ等に抑制されないように吸込管８の先端部の吸込ノズル１３を案内する。図５は吸込ノズル１３の正面図であって、吸込ノズル１３の下側面１３ａに一対のガイド杆１７、１７が止着してあり、ガイド杆１７、１７を配水管１の管底１ａに摺動させて、ガイドフレーム１５の下端部１５ｃとリブ１６とガイド杆１７が吸込ノズル１３を案内する。
【００１２】
図６は配水管に設置した管内濁質排出装置の側面図であって、管内濁質排出装置の配水管１への設置は、ノズル収納ケース４に垂設した吸込管８を降下させて
分岐管２に垂下し、図１に示すように、吸込ノズル１３に連結したガイドフレーム１５の先端１５ｄを配水管１の管底１ａに当接し、ガイドフレーム１５の曲面状の先端下周面１５ｂを摺接させて吸込管８を上流側Ｈに曲折し、吸込管８の上端部の継手１１に止着した位置決めガイド１２の下端を配水管１の管底１ａに到達させて、吸込ノズル１３の吸込口１４を上流側Ｈの管頂１ｂの方向に傾斜状に拡大開口させる。吸込管８の上端部に連結した位置決めガイド１２で、地形や道路の舗装状況に関係なく配水管１の敷設深さに応じて設置でき、吸込管８の先端部の吸込ノズル１３を配水管１の上流側Ｈに曲折して目視不要で装着できる構造となる。
【００１３】
図７は吸込管の先端部に配設した吸込ノズルを配水管に垂下した管内濁質排出装置の他の実施例であって、吸込ノズル１３の吸込口１４の上端縁１４ａと下端縁１４ｂに基端部を連結したＬ字状のガイドフレーム１８の先端部に、図８乃至図１０に示すように、ガイドローラーＡ１９と後段基端部にガイドローラーＢ２０を回動自在に軸支してある。吸込ノズル１３の左右の側端縁１４ｃ、１４ｃに橋架した山形状のリブ１６の先端部を、ガイドフレーム１８の先段部１８ｂのガイドローラーＡ１９とガイドローラーＢ２０の間に連結してある。
【００１４】
図１１は吸込ノズルに配設したガイドローラーＡとガイドローラーＢの転動状態を示す概念図であって、ガイドフレーム１８にガイドローラーＡ１９とガイドローラーＢ２０を軸支した管内濁質排出装置の配水管１への設置方法は、
（イ）ノズル収納ケース４に垂設した可撓性の吸込管８を分岐管２に挿入し、
（ロ）吸込ノズル１３に橋架したガイドフレーム１８とリブ１６を分岐管２の内周壁に摺接させながら降下し、ガイドフレーム１８の先端部に軸支したガイドロローラーＡ１９を配水管１の上流側Ｈに向けて管底１ａに当接させる。
（ハ）引き続き可撓性の吸込管８の挿入により、配水管１の管底１ａに到達したガイドフレーム１８の先端部のガイドローラーＡ１９が転動して、吸込管８を配水管１の上流側Ｈに曲折し、
（ニ）ガイドフレーム１８の後段基端部のガイドローラーＢ２０を管底１ａに当接させる。
（ホ）挿入操作はそのままで、可撓性の吸込管８を降下させて曲折すると、ガイドフレーム１８が序々に回動してガイドローラーＡ１９を管底１ａから離反させる。
（ヘ）吸込ノズル１３に橋架したリブ１６で吸込ノズル１３を配水管１の内周壁に案内させながらガイドローラーＢ２０を転動させて、吸込ノズル１３の吸込口１４を上流側Ｈ方向に対向させる。
（ト）更に、吸込管８を曲折させながらガイドローラーＢ２０を転動させ、ガイド杆１７を摺接させて、吸込ノズル１３の吸込口１４を上流側Ｈの管頂１ｂの方向に開口させる。
（チ）位置決めガイド１２の下端を配水管１の管底１ａに到達させて、図１２に示すように、吸込ノズル１３の傾斜状の吸込口１４を管頂１ｂ方向に拡開させて、吸込管８の先端部の吸込ノズル１３を所定位置に設置す
る。
図１２は配水管に設置した管内濁質排出装置の側面図であって、ガイドローラーＡ１９及びガイドローラーＢ２０を配設した管内濁質排出装置は抵抗なく移動可能となり、配水管１の敷設深さに応じて設置でき、吸込管８の先端部の吸込ノズル１３を配水管１の上流側Ｈに曲折して目視不要で装着できる構造となる。吸込管８は工事対象配水管近傍に一時的に取り付けが可能となり、消火栓を利用することも可能で、現地施工とメンテナンスが簡単で設置スペースの小さい管内濁質排出装置となる。
【００１５】
図６及び図１２に示す管内濁質排出装置に、配水管１の上流側Ｈに向かって曲折した吸込ノズル１３の湾曲面に中間ノズル２１が開口してあり、管路全体に浮遊流動しながら流下する懸濁物質の捕集も行える。なお、中間ノズル２１は配水管１の口径に応じて複数個配設してもよいもので、複数個の中間ノズル２１・・・を配設すれば、配水管１の上部と中部を流動する浮遊性物質の捕捉効果を高める。
吸引箇所が吸込ノズル１３と中間ノズル２１に分かれても、吸込ノズル１３での流速低下がなく、吸引効果を損なうことがない。配水管１の管断面積に対しノズル断面積が大きくなり、懸濁物質の流向変化に対応できる。図６及び図１２に示すように、吸込管８に配設した吸込ノズル１３を配水管１の所定位置に設置した後、吸込管８に連結した吸引管１０に予め外挿してあるシール部材２２をノズル収納ケース４の接続口５に嵌着して管内濁質排出装置を構成する。
【００１６】
図１３は管内濁質排出装置を用いた濁質除去装置のフローチャートであって、
ノズル収納ケース４から突設した吸引管１０の上端部に開閉弁２３を介して循環配管２４の吸込側を接続し、ノズル収納ケース４の側壁の吐出口６に設けた開閉弁７に循環配管２４の吐出側を接続してある。吸引管１０とノズル収納ケース４の吐出口６に接続した循環配管２４に流水中の濁質を除去する濁質除去ユニット２５が配設してある。濁質除去ユニット２５は配水管１の懸濁物質を含む流水を循環配管２４に吸引する吸水ポンプ２６と、流水に含まれる浮遊物、錆、砂等の比較的大きい固形物を分離するストレーナ２７と、微細粒子を分離する膜装置２８が配設してある。膜装置２８を設置すれば、水道水に含まれる赤水等の原因となる微細な鉄錆の除去も可能となる。ストレーナ２７と膜装置２８が目詰まりした時に、循環配管２４の流路を切り替える開閉弁２９・・・が配設してあり、懸濁物質が濁質除去ユニット２５に配設した自家発電機３０と制御盤３１で吸水ポンプ２６と開閉弁２９・・・を操作して逆洗する。濁質除去ユニット２５は自動車の車台に積載して移動可能としてもよいもので、緊急の漏水工事や配水計画変更によるバルブ操作等、砂の混入や錆の剥離が予想される流域に移動して、配水管１の消火栓等の分岐管２に管内濁質排出装置を設置して濁質除去ユニット２５を連結すれば、緊急を要する濁質除去が行える。工事対象の配水管１の近傍に一時的に取り付けが可能となり、下流への濁質の流下を阻止し、水道水等の濁質問題を容易に軽減できる。捕集された濁質を洗浄する水量は、運転中はストレーナ２７での洗浄のみ必要で、従来の洗管作業の濁質とともに廃棄する水量に比べ、最小限の洗浄排水のみを排出するだけでよい。また、膜装置２８の洗浄においては、作業終了後に簡易洗浄程度でよい。
【００１７】
図１４は配水管の上流側と下流側の分岐管に配設する濁質除去装置の構成図であって、配水管１の上流側Ｈと下流側Ｌの分岐管２、２にノズル収納ケース４、４を着脱自在に連結してある。上流側Ｈのノズル収納ケース４に挿通した吸込管８の下端部の吸込ノズル１３を配水管１に垂下して、吸引管１０に開閉弁２３を介して循環配管２４の吸込側に接続し、下流側Ｌのノズル収納ケース４の吐出口６を開閉弁７を介して循環配管２４の吐出側に接続してある。上流側Ｈの吸込ノズル１３より吸引した流水から濁質除去ユニット２５で懸濁物質を分離し、分離水を下流側Ｌのノズル収納ケース４から配水管１に返送させる。循環配管２４からの戻り流れが配水管１を流下する水流を乱すことがなく、吸込ノズル１３の懸濁物質の吸引に影響を与えることもない。
【００１８】
図１４に示すように、先端部に収縮させた膨縮式空気止水弁３２を連結した空気供給管３３を、上流側Ｈのノズル収納ケース４の吐出口６から挿入し、分岐管２から配水管１に垂下して、吸込ノズル１３より下流側Ｌの配水管１に膨縮式空気止水弁３２を設置してある。地上の空気供給装置３４から空気供給管３３に圧縮空気を供給し、膨張式空気止水弁３２を膨張させて配水管１を止水して、吸引管１０の上端部に配設した開閉弁２３を開放すれば、配水管１に流れる全水量の流水を循環配管２４に流入させて、濁質除去ユニット２５で懸濁物質を除去し、下流側Ｌの配水管１に分離水を流下させることができる。
【００１９】
配水管１に配設した消火栓は分岐管２として利用できるもので、懸濁物質除去の機器類が配水管１に取付けられていないため、配水管１の断水状態等の不測の事態が発生せず、安定した水道水等の供給が行える。ノズル収納ケース４に消火ホースを着脱自在とすれば、ノズル収納ケース４を取外すことなく、消火活動を行うこともできる。消火栓を利用すれば、目詰まりにより、ケーキろ過が発生する可能性がある従来の埋設型ストレーナに比べ、圧力損失を抑えることができ、工事費用が発生せずに経済的である。砂の混入や錆の剥離が予想される流域の配水管１の消火栓にノズル収納ケース４を連結すれば、工事対象の配水管１の近傍の砂の混入や錆の剥離が予想される流域に、一時的に取り付けが可能となる。特別な固定構造物を配置する必要がなく、現地施工とメンテナンスが簡単で設置スペースの小さい管内濁質排出装置となり、循環配管の循環用のポンプ動力量を抑えることもでき、経済的である。
【産業上の利用可能性】
【００２０】
この発明に係る管内濁質排出装置とその排出方法は上記のように構成してあり、吸込管に配設した位置決めガイドで、地形や道路の舗装状況に関係なく配水管の敷設深さに応じて設置でき、可撓性の吸込管を配水管の上流側に曲折して先端部の吸込ノズルを目視不要で装着できる構造となる。経年管の配水管や分岐管に発生している管内壁の錆こぶ等に抑制されることもない。そして、消火栓や工事対象配水管近傍に一時的に設置が可能となり、現地施工とメンテナンスが簡単で設置スペースの小さい管内濁質排出装置となる。ノズル収納ケースを取外すことなく、消火活動を行うこともできる。従って、住民からの苦情のあるポイント設置の他、配管工事箇所の下流側に一時的に設置が可能であり、上水や工業用水等の配水管の管内濁質排出装置に適するものである。
【図面の簡単な説明】
【００２１】
【図１】この発明に係る管内濁質排出装置の、吸込管の先端部に配設した吸込ノズルを分岐管に垂下した縦断面図である。
【図２】同じく、先端部に吸込ノズルを配設した吸引管の外形図である。
【図３】同じく、ガイドフレームとリブを吸込口の前面に配設した吸込ノズルの側面図である。
【図４】同じく、吸込ノズルの平面図である。
【図５】同じく、吸込ノズルの正面図である。
【図６】同じく、配水管に設置した管内濁質排出装置の縦断面図である。
【図７】同じく、吸込管の先端部に配設した吸込ノズルを配水管に垂下した縦断面図である。
【図８】同じく、他の実施例のガイドフレームにガイドローラーＡとガイドローラーＢを配設した吸込ノズルの側面図である。
【図９】同じく、吸込ノズルの平面図である。
【図１０】同じく、吸込ノズルの正面図である。
【図１１】同じく、吸込ノズルに配設したガイドローラーＡとガイドローラーＢの転動状態を示す概念図である。
【図１２】同じく、配水管に設置した管内濁質排出装置の縦断面図である。
【図１３】この発明に係る管内濁質排出装置を用いた濁質除去装置のフローチャートである。
【図１４】同じく、上流側と下流側の配水管にノズル収納ケースを配設した濁質除去装置の構成図である。
【符号の説明】
【００２２】
１    配水管
１ａ  管底
１ｂ  管頂
２    分岐管
４    ノズル収納ケース
８    吸込管
１２  位置決めガイド
１３  吸込ノズル
１３ａ  下側面
１４  吸込口
１４ａ  上端縁
１４ｂ  下端縁
１４ｃ  側端縁
１５、１８  ガイドフレーム
１５ｂ  先端下周面
１６  リブ
１７  ガイド杆
１９  ガイドローラーＡ
２０  ガイドローラーＢ
２１  中間ノズル
Ｈ    上流側
【図１】
2009030257.tif 000003
【図２】
2009030257.tif 000004
【図３】
2009030257.tif 000005
【図４】
2009030257.tif 000006
【図５】
2009030257.tif 000007
【図６】
2009030257.tif 000008
【図７】
2009030257.tif 000009
【図８】
2009030257.tif 000010
【図９】
2009030257.tif 000011
【図１０】
2009030257.tif 000012
【図１１】
2009030257.tif 000013
【図１２】
2009030257.tif 000014
【図１３】
2009030257.tif 000015
【図１４】
2009030257.tif 000016